(57)【要約】【課題】より少ない枚数のレンズで、色収差が小さく、且つ光学全長を短くすることができる広角レンズ系を提供することを提供すること。【解決手段】広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる広角レンズ系であって、第４レンズ群Ｇ４は、負のパワーを有する物体側レンズＬ４１の像側面と、正のパワーを有する像側レンズＬ４２の物体側面とを接合した接合レンズであり、第４レンズ群Ｇ４の物体側レンズＬ４１のアッベ数が３５以下であり、第４レンズ群Ｇ４の像側レンズＬ４２のアッベ数が５０以上である。【選択図】図１
2017167339.tif 000002
【特許請求の範囲】
【請求項１】
物体側から像側に向かって順に、負のパワーを有する第１レンズ、負のパワーを有する第２レンズ、正のパワーを有する第３レンズ、絞り、接合レンズからなる第４レンズ群、接合レンズからなる第５レンズ群とからなる広角レンズ系であって、
前記第４レンズ群は、負のパワーを有する物体側レンズの像側面と、正のパワーを有する像側レンズの物体側面とを接合した接合レンズであり、
前記第４レンズ群の物体側レンズのアッベ数が３５以下であり、
前記第４レンズ群の像側レンズのアッベ数が５０以上である、広角レンズ系。
【請求項２】
前記第１レンズの像側が凹形状であり、前記第２レンズの像側が凹形状であり、前記第３レンズの物体側が凸形状である、請求項１に記載の広角レンズ系。
【請求項３】
前記第４レンズ群または前記第５レンズ群の少なくとも一群は、貼り合わせ面が非球面形状を有する接合レンズである請求項１または２に記載の広角レンズ系。
【請求項４】
前記第４レンズ群の物体側レンズの焦点距離をｆ４、
前記第４レンズ群の像側レンズの焦点距離をｆ５と定義したときに、下記の条件式（１）を満たす請求項１から３のいずれかに記載の広角レンズ系。
−１．２＜ｆ４／ｆ５＜−０．７      （１）
【請求項５】
前記第５レンズ群の物体側レンズの焦点距離をｆ６、
前記第５レンズ群の像側レンズの焦点距離をｆ７と定義したときに、下記の条件式（２）を満たす請求項１から４のいずれかに記載の広角レンズ系。
０＜｜ｆ６／ｆ７｜＜２．５      （２）
【請求項６】
前記絞りと、前記第４レンズ群の物体側レンズとの間隔をＬ４Ｄ、
レンズ系全体の焦点距離をｆと定義したときに、下記の条件式（３）を満たす請求項１から５のいずれかに記載の広角レンズ系。
Ｌ４Ｄ／ｆ＜０．２５      （３）
【請求項７】
前記第４レンズ群の物体側レンズの像側面の曲率半径をＬ４Ｒ２Ｒ、
前記第５レンズ群の物体側レンズの像側面の曲率半径をＬ６Ｒ２Ｒと定義したときに、下記の条件式（４）を満たす請求項１から６のいずれかに記載の広角レンズ系。
０＜｜Ｌ４Ｒ２Ｒ／Ｌ６Ｒ２Ｒ｜＜１．６      （４）
【請求項８】
前記第５レンズ群の物体側レンズが負レンズであり、
前記第５レンズ群の像側レンズが正レンズであり、
下記の条件式（５）を満たす請求項７に記載の広角レンズ系。
０．７＜Ｌ４Ｒ２Ｒ／Ｌ６Ｒ２Ｒ＜１．６      （５）
【請求項９】
前記第５レンズ群の物体側レンズが正レンズであり、
前記第５レンズ群の像側レンズが負レンズであり、
下記の条件式（６）を満たす請求項７に記載の広角レンズ系。
−０．２＜Ｌ４Ｒ２／Ｌ６Ｒ２＜０      （６）
【請求項１０】
水平画角が１３０度以上である請求項１から９のいずれかに記載の広角レンズ系。
【請求項１１】
請求項１から１０のいずれかに記載の広角レンズ系と、
前記広角レンズ系の焦点位置に配置された撮像素子と、を備える撮像装置。
【発明の詳細な説明】
【技術分野】
【０００１】
本発明は、広角レンズ系及び撮像装置に関する。
【背景技術】
【０００２】
監視用途の光学系として、屋内外の安全性を確保する監視カメラ用レンズ系、車外及び車内監視用の車載カメラ用レンズ系などがある。監視用途の光学系には、視界が極めて広く、かつ、高い解像力を有するとともに、さらに、Ｆナンバが２．０程度の明るい光学系であることが求められる。また、特に、車載カメラ用の撮像レンズ系では、コンパクトさも求められる。
【０００３】
例えば、特許文献１には、接合レンズが４組備え、絞りの後に負、正の未接合のレンズを配置したレンズ系が記載されている。
【０００４】
また、特許文献２には、被写体側に負の屈折力を有する第１レンズ群、像側に正の屈折力を有する第２レンズ群を配置し、第１レンズ群が、被写体側よりも像側の面の方が強い曲率とされた３枚以上の負レンズを有する撮像レンズが記載されている。
【先行技術文献】
【特許文献】
【０００５】
【特許文献１】特開２０１５−２２１４２号公報
【特許文献２】特開２００８−２６５９４公報
【発明の概要】
【発明が解決しようとする課題】
【０００６】
特許文献１に記載されたレンズ系は、絞りより後ろのレンズの構成が６枚と多く、また貼合わせレンズの径が大きいので、光学全長が増大してしまう問題がある。
【０００７】
また、特許文献２に記載されたレンズ系は、２組の接合レンズ間に正レンズがあり、絞りとの距離をとっている。また、特許文献２に記載されたレンズ系は、テレセントリック性を確保するため絞りとの間隔を空けており、光学全長が増大してしまう問題があった。
【０００８】
本発明は、上述の問題を解決するためなされたものであり、より少ない枚数のレンズで、色収差が小さく、且つ光学全長を短くすることができる広角レンズ系を提供することを目的とする。
【課題を解決するための手段】
【０００９】
本発明の広角レンズ系は、物体側から像側に向かって順に、負のパワーを有する第１レンズ、負のパワーを有する第２レンズ、正のパワーを有する第３レンズ、絞り、接合レンズからなる第４レンズ群、接合レンズからなる第５レンズ群とからなる広角レンズ系であって、第４レンズ群は、負のパワーを有する物体側レンズの像側面と、正のパワーを有する像側レンズの物体側面とを接合した接合レンズであり、第４レンズ群の物体側レンズのアッベ数が３５以下であり、第４レンズ群の像側レンズのアッベ数が５０以上であるようにした。
【００１０】
この構成によれば、第４レンズ群と第５レンズ群の２つの接合レンズが上記条件を満たすことにより、更なるレンズを必要とせずに、色収差を補正することができるので、より少ない枚数のレンズで、色収差が小さく、且つ光学全長を短くすることができる広角レンズ系を提供することができる。
【発明の効果】
【００１１】
本発明によれば、より少ない枚数のレンズで、色収差が小さく、且つ光学全長を短くすることができる広角レンズ系を提供することができる。
【図面の簡単な説明】
【００１２】
【図１】実施例１に係る撮像レンズ系の断面図である。
【図２】実施例１に係る撮像レンズ系の収差図である。
【図３】実施例２に係る撮像レンズ系の断面図である。
【図４】実施例２に係る撮像レンズ系の収差図である。
【図５】実施例３に係る撮像レンズ系の断面図である。
【図６】実施例３に係る撮像レンズ系の収差図である。
【図７】実施例４に係る撮像レンズ系の断面図である。
【図８】実施例４に係る撮像レンズ系の収差図である。
【図９】実施例５に係る撮像レンズ系の断面図である。
【図１０】実施例５に係る撮像レンズ系の収差図である。
【図１１】実施例６に係る撮像レンズ系の断面図である。
【図１２】実施例６に係る撮像レンズ系の収差図である。
【図１３】実施の形態２に係る撮像装置の断面図である。
【発明を実施するための形態】
【００１３】
以下、本実施の形態に係る広角レンズ及び撮像装置を説明する。
（実施の形態１：広角レンズ系）
実施の形態１の広角レンズ系は、物体側から像側に向かって順に、負のパワーを有する第１レンズ、負のパワーを有する第２レンズ、正のパワーを有する第３レンズ、絞り、接合レンズからなる第４レンズ群、接合レンズからなる第５レンズ群とからなる広角レンズ系であって、第４レンズ群は、負のパワーを有する物体側レンズの像側面と、正のパワーを有する像側レンズの物体側面とを接合した接合レンズであり、第４レンズ群の物体側レンズのアッベ数が３５以下であり、第４レンズ群の像側レンズのアッベ数が５０以上であるようにした。
この構成によれば、第４レンズ群と第５レンズ群の２つの接合レンズが上記条件を満たすことにより、更なるレンズを必要とせずに、色収差を補正することができるので、より少ない枚数のレンズで、色収差が小さく、且つ光学全長を短くすることができる広角レンズ系を提供することができる。
【００１４】
上記実施の形態１の広角レンズ系は、第１レンズの像側が凹形状であり、第２レンズの像側が凹形状であり、第３レンズの物体側が凸形状としてもよい。
【００１５】
上記実施の形態１の広角レンズ系は、第４レンズ群または第５レンズ群の少なくとも一群は、貼り合わせ面が非球面形状を有する接合レンズとしてもよい。
この構成によれば、より効果的に色収差を補正することができる。
【００１６】
上記実施の形態１の広角レンズ系は、第４レンズ群の物体側レンズの焦点距離をｆ４、第４レンズ群の像側レンズの焦点距離をｆ５と定義したときに、下記の条件式（１）を満たしてもよい。
−１．２＜ｆ４／ｆ５＜−０．７      （１）
この構成によれば、上記条件式の上限を超すとｆ４のパワーが増大し色収差補正が過剰となる。上記条件式の下限を超すと補正が不足により解像力の劣化となる。
【００１７】
上記実施の形態１の広角レンズ系は、第５レンズ群の物体側レンズの焦点距離をｆ６、第５レンズ群の像側レンズの焦点距離をｆ７と定義したときに、下記の条件式（２）を満たしてもよい。
０＜｜ｆ６／ｆ７｜＜２．５      （２）
この構成によれば、上記条件式の上限を満たすことにより、色収差補正を十分に行うことができる。
【００１８】
上記実施の形態１の広角レンズ系は、絞りと、第４レンズ群の物体側レンズとの間隔をＬ４Ｄ、レンズ系全体の焦点距離をｆと定義したときに、下記の条件式（３）を満たしてもよい。
Ｌ４Ｄ／ｆ＜０．２５      （３）
この構成によれば、上記条件式を満たすことにより、光学全長の増大を抑えることができる。
【００１９】
上記実施の形態１の広角レンズ系は、第４レンズ群の物体側レンズの像側面の曲率半径をＬ４Ｒ２Ｒ、第５レンズ群の物体側レンズの像側面の曲率半径をＬ６Ｒ２Ｒと定義したときに、下記の条件式（４）を満たしてもよい。
０＜｜Ｌ４Ｒ２Ｒ／Ｌ６Ｒ２Ｒ｜＜１．６      （４）
この構成によれば、上記条件式の上限を満たすことにより、光軸上での色収差補正を十分に行うことができ、光軸中心と有効径端とで色収差をバランスよく補正できる。
【００２０】
上記実施の形態１の広角レンズ系は、第５レンズ群の物体側レンズが負レンズであり、５レンズ群の像側レンズが正レンズであり、下記の条件式（５）を満たしてもよい。
０.７＜Ｌ４Ｒ２Ｒ／Ｌ６Ｒ２Ｒ＜１．６      （５）
この構成によれば、光軸上での色収差補正を十分に行うことができ、光軸中心と有効径端とで色収差をバランスよく補正できる。
【００２１】
上記実施の形態１の広角レンズ系は、第５レンズ群の物体側レンズが正レンズであり、第５レンズ群の像側レンズが負レンズであり、下記の条件式（６）を満たしてもよい。
−０．２＜Ｌ４Ｒ２／Ｌ６Ｒ２＜０      （６）
この構成によれば、光軸上での色収差補正を十分に行うことができ、光軸中心と有効径端とで色収差をバランスよく補正できる。
【００２２】
上記実施の形態１の広角レンズ系は、水平画角が１３０度以上としてもよい。
本実施の形態の撮像装置は、上記いずれかに記載の広角レンズ系と、広角レンズ系の焦点位置に配置された撮像素子と、を備えるようにしてもよい。
【００２３】
次に、実施の形態１の広角レンズ系に対応する実施例について、図面を参照して説明する。
（実施例１）
図１は、実施例１の広角レンズ系の構成を示す断面図である。図１において、広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる。広角レンズ系１００の結像面はＩＭＧで示されている。
【００２４】
第１レンズＬ１は、負のパワーを有するレンズである。第１レンズＬ１の物体側レンズ面Ｓ１は、正の曲率を有する球面形状である。また、第１レンズＬ１の像側レンズ面Ｓ２は、正の曲率を有する球面形状である。また、物体側レンズ面Ｓ１は、物体側に凸面を向けており、像側レンズ面Ｓ２は、像側に凹面形状の曲面部分を有している。
【００２５】
第２レンズＬ２は、負のパワーを有する非球面レンズである。第２レンズＬ２の物体側レンズ面Ｓ３は、正の曲率を有する非球面形状である。また、第２レンズＬ２の像側レンズ面Ｓ４は、正の曲率を有する非球面形状である。また、物体側レンズ面Ｓ３は、物体側に凸面を向けており、像側レンズ面Ｓ４は、像側に凹面形状の曲面部分を有している。
【００２６】
第３レンズＬ３は、正のパワーを有する非球面レンズである。第３レンズＬ３の物体側レンズ面Ｓ５は、正の曲率を有する非球面形状である。また、第３レンズＬ３の像側レンズ面Ｓ６は、負の曲率を有する非球面形状である。また、物体側レンズ面Ｓ５は、物体側に凸面を向けており、像側レンズ面Ｓ６は、像面側に凸面を向けている。
【００２７】
絞りＳＴは、レンズ系のＦ値（Ｆｎｏ）を決める絞りである。絞りＳＴは、第３レンズＬ３と第４レンズ群Ｇ４との間に配置される。
【００２８】
第４レンズ群Ｇ４は、負のパワーを備える物体側レンズＬ４１と正のパワーを備える像側レンズＬ４２からなる接合レンズである。
【００２９】
物体側レンズＬ４１は、負のパワーを有する非球面レンズである。物体側レンズＬ４１の物体側レンズ面Ｓ９は、負の曲率を有する非球面形状である。また、物体側レンズＬ４１の像側レンズ面Ｓ１０は、正の曲率を有する非球面形状である。物体側レンズ面Ｓ９は、物体側に凹面を向けており、像側レンズ面Ｓ１０は、像面側に凹面を向けている。
【００３０】
像側レンズＬ４２は、正のパワーを有する非球面レンズである。像側レンズＬ４２の物体側レンズ面Ｓ１１は、正の曲率を有する非球面形状である。また、像側レンズＬ４２の像側レンズ面Ｓ１２は、負の曲率を有する非球面形状である。物体側レンズ面Ｓ１１は、物体側に凸面を向けており、像側レンズ面Ｓ１２は、像面側に凸面を向けている。
【００３１】
第５レンズ群Ｇ５は、負のパワーを備える物体側レンズＬ５１と正のパワーを備える像側レンズＬ５２からなる接合レンズである。
【００３２】
物体側レンズＬ５１は、負のパワーを有する非球面レンズである。物体側レンズＬ５１の物体側レンズ面Ｓ１３は、正の曲率を有する非球面形状である。また、物体側レンズＬ５１の像側レンズ面Ｓ１４は、正の曲率を有する非球面形状である。物体側レンズ面Ｓ１３は、物体側に凸面を向けており、像側レンズ面Ｓ１４は、像面側に凹面を向けている。
【００３３】
像側レンズＬ５２は、正のパワーを有する非球面レンズである。像側レンズＬ５２の物体側レンズ面Ｓ１５は、正の曲率を有する非球面形状である。また、像側レンズＬ５２の像側レンズ面Ｓ１６は、正の曲率を有する非球面形状である。物体側レンズ面Ｓ１５は、物体側に凸面を向けており、像側レンズ面Ｓ１６は、像面側に凹面を向けており、変曲点を有している。言い換えれば、像側レンズ面Ｓ１６は、断面においてレンズの光軸中心から有効径端までの間で、曲線の曲がる方向が変わる点がある。
【００３４】
ＩＲカットフィルタ６１は、赤外領域の光をカットするためのフィルタである。カバーガラス６２は、撮像素子を保護するためのガラス板である。ＩＲカットフィルタ６１及びカバーガラス６２は、広角レンズ系１００の設計時には、広角レンズ系１００と一体として扱われる。しかし、ＩＲカットフィルタ６１及びカバーガラス６２は、広角レンズ系１００の必須の構成要素ではない。
【００３５】
表１に、広角レンズ系１００の各レンズ面のレンズデータを示す。表１では、レンズデータとして、各面の曲率半径、面間隔、屈折率、及びアッベ数を提示している。「＊印」がついた面は、非球面であることを示している。
【００３６】
【表１】
2017167339.tif 000003
【００３７】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【００３８】
【数１】
2017167339.tif 000004
【００３９】
表２に、実施例１の広角レンズ系１００において、非球面とされたレンズ面の非球面形状を規定するための非球面係数を示す。表２において、例えば「−６．５２２５２８Ｅ−０３」は、「−６．５２２５２８×１０−３」を意味する。
【００４０】
【表２】
2017167339.tif 000005
【００４１】
図２は、実施例１の広角レンズ系における縦収差図、像面湾曲図、歪曲収差図を示す。図２Ａは縦収差図を示し、図２Ｂは像面湾曲図を示し、そして図２Ｃは歪曲収差図を示す。図２Ａ〜２Ｃに示すように、実施例１の広角レンズ系１００では、半画角ωが９９．７°、Ｆナンバが２．０である。図２Ａの縦収差図では、横軸は光線が光軸Ｚと交わる位置を示し、縦軸は瞳径での高さを示す。図２Ｂの像面湾曲図では、横軸は光軸Ｚ方向の距離を示し、縦軸は像高（画角）を示す。図２Ｂにおいて、Ｓａｇはサジタル面における像面湾曲を示し、Ｔａｎはタンジェンシャル面における像面湾曲を示す。図２Ｃの歪曲収差図では、横軸は像の歪み量（％）を示し、縦軸は像高（画角）を示す。図２Ａ〜図２Ｃでは、波長４８６ｎｍ、５８７ｎｍ及び６５６ｎｍの光線によるシミュレーション結果を示している。
【００４２】
表３に、実施例１の広角レンズ系１００の特性値を計算した結果を示す。表３では、広角レンズ系１００における、ＦナンバをＦｎｏ、第１レンズＬ１の物体側レンズ面Ｓ１から広角レンズ系１００の結像面ＩＭＧまでの距離（光学全長）をＴＴＬ、レンズ系全体の焦点距離をｆ、第１レンズＬ１の焦点距離をｆ１、第２レンズＬ２の焦点距離をｆ２、第３レンズＬ３の焦点距離をｆ３、第４レンズ群Ｇ４の物体側レンズＬ４１の焦点距離をｆ４、第４レンズ群Ｇ４の像側レンズＬ４２の焦点距離をｆ５、第５レンズ群Ｇ５の物体側レンズＬ５１の焦点距離をｆ６、第５レンズ群Ｇ５の像側レンズＬ５２の焦点距離をｆ７、絞りＳＴと、第４レンズ群Ｇ４の物体側レンズＬ４１との間隔をＬ４Ｄ、第４レンズ群Ｇ４の物体側レンズＬ４１の像側面の曲率半径をＬ４Ｒ２Ｒ、第５レンズ群Ｇ５の物体側レンズＬ５１の像側面の曲率半径をＬ６Ｒ２Ｒとしたときの各特性値を示している。各種の焦点距離は、５４６ｎｍの波長の光線を用いて計算した。
【００４３】
【表３】
2017167339.tif 000006
【００４４】
（実施例２）
図３は、実施例２の広角レンズ系の構成を示す断面図である。図３において、広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる。広角レンズ系１００の結像面はＩＭＧで示されている。
【００４５】
第１レンズＬ１は、負のパワーを有するレンズである。第１レンズＬ１の物体側レンズ面Ｓ１は、正の曲率を有する球面形状である。また、第１レンズＬ１の像側レンズ面Ｓ２は、正の曲率を有する球面形状である。また、物体側レンズ面Ｓ１は、物体側に凸面を向けており、像側レンズ面Ｓ２は、像側に凹面形状の曲面部分を有している。
【００４６】
第２レンズＬ２は、負のパワーを有する非球面レンズである。第２レンズＬ２の物体側レンズ面Ｓ３は、正の曲率を有する非球面形状である。また、第２レンズＬ２の像側レンズ面Ｓ４は、正の曲率を有する非球面形状である。また、物体側レンズ面Ｓ３は、物体側に凸面を向けており、像側レンズ面Ｓ４は、像側に凹面形状の曲面部分を有している。
【００４７】
第３レンズＬ３は、正のパワーを有する非球面レンズである。第３レンズＬ３の物体側レンズ面Ｓ５は、正の曲率を有する非球面形状である。また、第３レンズＬ３の像側レンズ面Ｓ６は、負の曲率を有する非球面形状である。また、物体側レンズ面Ｓ５は、物体側に凸面を向けており、像側レンズ面Ｓ６は、像面側に凸面を向けている。
【００４８】
絞りＳＴは、レンズ系のＦ値（Ｆｎｏ）を決める絞りである。絞りＳＴは、第３レンズＬ３と第４レンズ群Ｇ４との間に配置される。
【００４９】
第４レンズ群Ｇ４は、負のパワーを備える物体側レンズＬ４１と正のパワーを備える像側レンズＬ４２からなる接合レンズである。
【００５０】
物体側レンズＬ４１は、負のパワーを有する非球面レンズである。物体側レンズＬ４１の物体側レンズ面Ｓ９は、負の曲率を有する非球面形状である。また、物体側レンズＬ４１の像側レンズ面Ｓ１０は、正の曲率を有する非球面形状である。物体側レンズ面Ｓ９は、物体側に凹面を向けており、像側レンズ面Ｓ１０は、像面側に凹面を向けている。
【００５１】
像側レンズＬ４２は、正のパワーを有する非球面レンズである。像側レンズＬ４２の物体側レンズ面Ｓ１１は、正の曲率を有する非球面形状である。また、像側レンズＬ４２の像側レンズ面Ｓ１２は、負の曲率を有する非球面形状である。物体側レンズ面Ｓ１１は、物体側に凸面を向けており、像側レンズ面Ｓ１２は、像面側に凸面を向けている。
【００５２】
第５レンズ群Ｇ５は、負のパワーを備える物体側レンズＬ５１と正のパワーを備える像側レンズＬ５２からなる接合レンズである。
【００５３】
物体側レンズＬ５１は、負のパワーを有する非球面レンズである。物体側レンズＬ５１の物体側レンズ面Ｓ１３は、正の曲率を有する非球面形状である。また、物体側レンズＬ５１の像側レンズ面Ｓ１４は、正の曲率を有する非球面形状である。物体側レンズ面Ｓ１３は、物体側に凸面を向けており、像側レンズ面Ｓ１４は、像面側に凹面を向けている。
【００５４】
像側レンズＬ５２は、正のパワーを有する非球面レンズである。像側レンズＬ５２の物体側レンズ面Ｓ１５は、正の曲率を有する非球面形状である。また、像側レンズＬ５２の像側レンズ面Ｓ１６は、負の曲率を有する非球面形状である。物体側レンズ面Ｓ１５は、物体側に凸面を向けており、像側レンズ面Ｓ１６は、像面側に凸面を向け、変曲点を備えている。言い換えれば、像側レンズ面Ｓ１６は、断面においてレンズの光軸中心から有効径端までの間で、曲線の曲がる方向が変わる点がある。
【００５５】
表４に、広角レンズ系１００の各レンズ面のレンズデータを示す。表４では、レンズデータとして、各面の曲率半径、面間隔、屈折率、及びアッベ数を提示している。「＊印」がついた面は、非球面であることを示している。
【００５６】
【表４】
2017167339.tif 000007
【００５７】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【００５８】
【数２】
2017167339.tif 000008
【００５９】
表５に、実施例２の広角レンズ系１００において、非球面とされたレンズ面の非球面形状を規定するための非球面係数を示す。表５において、例えば「−６．５２２５２８Ｅ−０３」は、「−６．５２２５２８×１０−３」を意味する。
【００６０】
【表５】
2017167339.tif 000009
【００６１】
図４は、実施例２の広角レンズ系における縦収差図、像面湾曲図、歪曲収差図を示す。図４Ａは縦収差図を示し、図４Ｂは像面湾曲図を示し、そして図４Ｃは歪曲収差図を示す。図４Ａ〜２Ｃに示すように、実施例２の広角レンズ系１００では、半画角ωが１００．８°、Ｆナンバが２．４である。図４Ａの縦収差図では、横軸は光線が光軸Ｚと交わる位置を示し、縦軸は瞳径での高さを示す。図４Ｂの像面湾曲図では、横軸は光軸Ｚ方向の距離を示し、縦軸は像高（画角）を示す。図４Ｂにおいて、Ｓａｇはサジタル面における像面湾曲を示し、Ｔａｎはタンジェンシャル面における像面湾曲を示す。図４Ｃの歪曲収差図では、横軸は像の歪み量（％）を示し、縦軸は像高（画角）を示す。図４Ａ〜図４Ｃでは、波長４８６ｎｍ、５８７ｎｍ及び６５６ｎｍの光線によるシミュレーション結果を示している。
【００６２】
表６に、実施例２の広角レンズ系１００の特性値を計算した結果を示す。表６では、広角レンズ系１００における、ＦナンバをＦｎｏ、第１レンズＬ１の物体側レンズ面Ｓ１から広角レンズ系１００の結像面ＩＭＧまでの距離（光学全長）をＴＴＬ、レンズ系全体の焦点距離をｆ、第１レンズＬ１の焦点距離をｆ１、第２レンズＬ２の焦点距離をｆ２、第３レンズＬ３の焦点距離をｆ３、第４レンズ群Ｇ４の物体側レンズＬ４１の焦点距離をｆ４、第４レンズ群Ｇ４の像側レンズＬ４２の焦点距離をｆ５、第５レンズ群Ｇ５の物体側レンズＬ５１の焦点距離をｆ６、第５レンズ群Ｇ５の像側レンズＬ５２の焦点距離をｆ７、絞りＳＴと、第４レンズ群Ｇ４の物体側レンズＬ４１との間隔をＬ４Ｄ、第４レンズ群Ｇ４の物体側レンズＬ４１の像側面の曲率半径をＬ４Ｒ２Ｒ、第５レンズ群Ｇ５の物体側レンズＬ５１の像側面の曲率半径をＬ６Ｒ２Ｒとしたときの各特性値を示している。各種の焦点距離は、５４６ｎｍの波長の光線を用いて計算した。
【００６３】
【表６】
2017167339.tif 000010
【００６４】
（実施例３）
図５は、実施例３の広角レンズ系の構成を示す断面図である。図５において、広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる。広角レンズ系１００の結像面はＩＭＧで示されている。
【００６５】
第１レンズＬ１は、負のパワーを有するレンズである。第１レンズＬ１の物体側レンズ面Ｓ１は、正の曲率を有する球面形状である。また、第１レンズＬ１の像側レンズ面Ｓ２は、正の曲率を有する球面形状である。また、物体側レンズ面Ｓ１は、物体側に凸面を向けており、像側レンズ面Ｓ２は、像側に凹面形状の曲面部分を有している。
【００６６】
第２レンズＬ２は、負のパワーを有する非球面レンズである。第２レンズＬ２の物体側レンズ面Ｓ３は、正の曲率を有する非球面形状である。また、第２レンズＬ２の像側レンズ面Ｓ４は、正の曲率を有する非球面形状である。また、物体側レンズ面Ｓ３は、物体側に凸面を向けており、像側レンズ面Ｓ４は、像側に凹面形状の曲面部分を有している。
【００６７】
第３レンズＬ３は、正のパワーを有する非球面レンズである。第３レンズＬ３の物体側レンズ面Ｓ５は、正の曲率を有する非球面形状である。また、第３レンズＬ３の像側レンズ面Ｓ６は、負の曲率を有する非球面形状である。また、物体側レンズ面Ｓ５は、物体側に凸面を向けており、像側レンズ面Ｓ６は、像面側に凸面を向けている。
【００６８】
絞りＳＴは、レンズ系のＦ値（Ｆｎｏ）を決める絞りである。絞りＳＴは、第３レンズＬ３と第４レンズ群Ｇ４との間に配置される。
【００６９】
第４レンズ群Ｇ４は、負のパワーを備える物体側レンズＬ４１と正のパワーを備える像側レンズＬ４２からなる接合レンズである。
【００７０】
物体側レンズＬ４１は、負のパワーを有する非球面レンズである。物体側レンズＬ４１の物体側レンズ面Ｓ９は、負の曲率を有する非球面形状である。また、物体側レンズＬ４１の像側レンズ面Ｓ１０は、正の曲率を有する非球面形状である。物体側レンズ面Ｓ９は、物体側に凹面を向けており、像側レンズ面Ｓ１０は、像面側に凹面を向けている。
【００７１】
像側レンズＬ４２は、正のパワーを有する非球面レンズである。像側レンズＬ４２の物体側レンズ面Ｓ１１は、正の曲率を有する非球面形状である。また、像側レンズＬ４２の像側レンズ面Ｓ１２は、負の曲率を有する非球面形状である。物体側レンズ面Ｓ１１は、物体側に凸面を向けており、像側レンズ面Ｓ１２は、像面側に凸面を向けている。
【００７２】
第５レンズ群Ｇ５は、正のパワーを備える物体側レンズＬ５１と負のパワーを備える像側レンズＬ５２からなる接合レンズである。
【００７３】
物体側レンズＬ５１は、正のパワーを有する非球面レンズである。物体側レンズＬ５１の物体側レンズ面Ｓ１３は、正の曲率を有する非球面形状である。また、物体側レンズＬ５１の像側レンズ面Ｓ１４は、負の曲率を有する非球面形状である。物体側レンズ面Ｓ１３は、物体側に凸面を向けており、像側レンズ面Ｓ１４は、像面側に凸面を向けている。
【００７４】
像側レンズＬ５２は、負のパワーを有する非球面レンズである。像側レンズＬ５２の物体側レンズ面Ｓ１５は、負の曲率を有する非球面形状である。また、像側レンズＬ５２の像側レンズ面Ｓ１６は、負の曲率を有する非球面形状である。物体側レンズ面Ｓ１５は、物体側に凹面を向けており、像側レンズ面Ｓ１６は、像面側に凸面を向けている。
【００７５】
表７に、広角レンズ系１００の各レンズ面のレンズデータを示す。表７では、レンズデータとして、各面の曲率半径、面間隔、屈折率、及びアッベ数を提示している。「＊印」がついた面は、非球面であることを示している。
【００７６】
【表７】
2017167339.tif 000011
【００７７】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【００７８】
【数３】
2017167339.tif 000012
【００７９】
表８に、実施例３の広角レンズ系１００において、非球面とされたレンズ面の非球面形状を規定するための非球面係数を示す。表８において、例えば「−６．５２２５２８Ｅ−０３」は、「−６．５２２５２８×１０−３」を意味する。
【００８０】
【表８】
2017167339.tif 000013
【００８１】
図６は、実施例３の広角レンズ系における縦収差図、像面湾曲図、歪曲収差図を示す。図６Ａは縦収差図を示し、図６Ｂは像面湾曲図を示し、そして図６Ｃは歪曲収差図を示す。図６Ａ〜２Ｃに示すように、実施例３の広角レンズ系１００では、半画角ωが９５°、Ｆナンバが２．０である。図６Ａの縦収差図では、横軸は光線が光軸Ｚと交わる位置を示し、縦軸は瞳径での高さを示す。図６Ｂの像面湾曲図では、横軸は光軸Ｚ方向の距離を示し、縦軸は像高（画角）を示す。図６Ｂにおいて、Ｓａｇはサジタル面における像面湾曲を示し、Ｔａｎはタンジェンシャル面における像面湾曲を示す。図６Ｃの歪曲収差図では、横軸は像の歪み量（％）を示し、縦軸は像高（画角）を示す。図６Ａ〜図６Ｃでは、波長４８６ｎｍ、５８７ｎｍ及び６５６ｎｍの光線によるシミュレーション結果を示している。
【００８２】
表９に、実施例３の広角レンズ系１００の特性値を計算した結果を示す。表９では、広角レンズ系１００における、ＦナンバをＦｎｏ、第１レンズＬ１の物体側レンズ面Ｓ１から広角レンズ系１００の結像面ＩＭＧまでの距離（光学全長）をＴＴＬ、レンズ系全体の焦点距離をｆ、第１レンズＬ１の焦点距離をｆ１、第２レンズＬ２の焦点距離をｆ２、第３レンズＬ３の焦点距離をｆ３、第４レンズ群Ｇ４の物体側レンズＬ４１の焦点距離をｆ４、第４レンズ群Ｇ４の像側レンズＬ４２の焦点距離をｆ５、第５レンズ群Ｇ５の物体側レンズＬ５１の焦点距離をｆ６、第５レンズ群Ｇ５の像側レンズＬ５２の焦点距離をｆ７、絞りＳＴと、第４レンズ群Ｇ４の物体側レンズＬ４１との間隔をＬ４Ｄ、第４レンズ群Ｇ４の物体側レンズＬ４１の像側面の曲率半径をＬ４Ｒ２Ｒ、第５レンズ群Ｇ５の物体側レンズＬ５１の像側面の曲率半径をＬ６Ｒ２Ｒとしたときの各特性値を示している。各種の焦点距離は、５４６ｎｍの波長の光線を用いて計算した。
【００８３】
【表９】
2017167339.tif 000014
【００８４】
（実施例４）
図７は、実施例４の広角レンズ系の構成を示す断面図である。図７において、広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる。広角レンズ系１００の結像面はＩＭＧで示されている。
【００８５】
第１レンズＬ１は、負のパワーを有するレンズである。第１レンズＬ１の物体側レンズ面Ｓ１は、正の曲率を有する球面形状である。また、第１レンズＬ１の像側レンズ面Ｓ２は、正の曲率を有する球面形状である。また、物体側レンズ面Ｓ１は、物体側に凸面を向けており、像側レンズ面Ｓ２は、像側に凹面形状の曲面部分を有している。
【００８６】
第２レンズＬ２は、負のパワーを有する非球面レンズである。第２レンズＬ２の物体側レンズ面Ｓ３は、正の曲率を有する非球面形状である。また、第２レンズＬ２の像側レンズ面Ｓ４は、正の曲率を有する非球面形状である。また、物体側レンズ面Ｓ３は、物体側に凸面を向けており、像側レンズ面Ｓ４は、像側に凹面形状の曲面部分を有している。
【００８７】
第３レンズＬ３は、正のパワーを有する非球面レンズである。第３レンズＬ３の物体側レンズ面Ｓ５は、正の曲率を有する非球面形状である。また、第３レンズＬ３の像側レンズ面Ｓ６は、負の曲率を有する非球面形状である。また、物体側レンズ面Ｓ５は、物体側に凸面を向けており、像側レンズ面Ｓ６は、像面側に凸面を向けている。
【００８８】
絞りＳＴは、レンズ系のＦ値（Ｆｎｏ）を決める絞りである。絞りＳＴは、第３レンズＬ３と第４レンズ群Ｇ４との間に配置される。
【００８９】
第４レンズ群Ｇ４は、負のパワーを備える物体側レンズＬ４１と正のパワーを備える像側レンズＬ４２からなる接合レンズである。
【００９０】
物体側レンズＬ４１は、負のパワーを有する非球面レンズである。物体側レンズＬ４１の物体側レンズ面Ｓ９は、負の曲率を有する非球面形状である。また、物体側レンズＬ４１の像側レンズ面Ｓ１０は、正の曲率を有する非球面形状である。物体側レンズ面Ｓ９は、物体側に凹面を向けており、像側レンズ面Ｓ１０は、像面側に凹面を向けている。
【００９１】
像側レンズＬ４２は、正のパワーを有する非球面レンズである。像側レンズＬ４２の物体側レンズ面Ｓ１１は、正の曲率を有する非球面形状である。また、像側レンズＬ４２の像側レンズ面Ｓ１２は、負の曲率を有する非球面形状である。物体側レンズ面Ｓ１１は、物体側に凸面を向けており、像側レンズ面Ｓ１２は、像面側に凸面を向けている。
【００９２】
第５レンズ群Ｇ５は、正のパワーを備える物体側レンズＬ５１と正のパワーを備える像側レンズＬ５２からなる接合レンズである。
【００９３】
物体側レンズＬ５１は、正のパワーを有する非球面レンズである。物体側レンズＬ５１の物体側レンズ面Ｓ１３は、正の曲率を有する非球面形状である。また、物体側レンズＬ５１の像側レンズ面Ｓ１４は、負の曲率を有する非球面形状である。物体側レンズ面Ｓ１３は、物体側に凸面を向けており、像側レンズ面Ｓ１４は、像面側に凸面を向けている。
【００９４】
像側レンズＬ５２は、正のパワーを有する非球面レンズである。像側レンズＬ５２の物体側レンズ面Ｓ１５は、負の曲率を有する非球面形状である。また、像側レンズＬ５２の像側レンズ面Ｓ１６は、負の曲率を有する非球面形状である。物体側レンズ面Ｓ１５は、物体側に凹面を向けており、像側レンズ面Ｓ１６は、像面側に凸面を向けている。
【００９５】
表１０に、広角レンズ系１００の各レンズ面のレンズデータを示す。表１０では、レンズデータとして、各面の曲率半径、面間隔、屈折率、及びアッベ数を提示している。「＊印」がついた面は、非球面であることを示している。
【００９６】
【表１０】
2017167339.tif 000015
【００９７】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【００９８】
【数４】
2017167339.tif 000016
【００９９】
表１１に、実施例４の広角レンズ系１００において、非球面とされたレンズ面の非球面形状を規定するための非球面係数を示す。表１１において、例えば「−６．５２２５２８Ｅ−０３」は、「−６．５２２５２８×１０−３」を意味する。
【０１００】
【表１１】
2017167339.tif 000017
【０１０１】
図８は、実施例４の広角レンズ系における縦収差図、像面湾曲図、歪曲収差図を示す。図８Ａは縦収差図を示し、図８Ｂは像面湾曲図を示し、そして図８Ｃは歪曲収差図を示す。図８Ａ〜２Ｃに示すように、実施例４の広角レンズ系１００では、半画角ωが９５°、Ｆナンバが２．４である。図８Ａの縦収差図では、横軸は光線が光軸Ｚと交わる位置を示し、縦軸は瞳径での高さを示す。図８Ｂの像面湾曲図では、横軸は光軸Ｚ方向の距離を示し、縦軸は像高（画角）を示す。図８Ｂにおいて、Ｓａｇはサジタル面における像面湾曲を示し、Ｔａｎはタンジェンシャル面における像面湾曲を示す。図８Ｃの歪曲収差図では、横軸は像の歪み量（％）を示し、縦軸は像高（画角）を示す。図８Ａ〜図８Ｃでは、波長４８６ｎｍ、５８７ｎｍ及び６５６ｎｍの光線によるシミュレーション結果を示している。
【０１０２】
表１２に、実施例４の広角レンズ系１００の特性値を計算した結果を示す。表１２では、広角レンズ系１００における、ＦナンバをＦｎｏ、第１レンズＬ１の物体側レンズ面Ｓ１から広角レンズ系１００の結像面ＩＭＧまでの距離（光学全長）をＴＴＬ、レンズ系全体の焦点距離をｆ、第１レンズＬ１の焦点距離をｆ１、第２レンズＬ２の焦点距離をｆ２、第３レンズＬ３の焦点距離をｆ３、第４レンズ群Ｇ４の物体側レンズＬ４１の焦点距離をｆ４、第４レンズ群Ｇ４の像側レンズＬ４２の焦点距離をｆ５、第５レンズ群Ｇ５の物体側レンズＬ５１の焦点距離をｆ６、第５レンズ群Ｇ５の像側レンズＬ５２の焦点距離をｆ７、絞りＳＴと、第４レンズ群Ｇ４の物体側レンズＬ４１との間隔をＬ４Ｄ、第４レンズ群Ｇ４の物体側レンズＬ４１の像側面の曲率半径をＬ４Ｒ２Ｒ、第５レンズ群Ｇ５の物体側レンズＬ５１の像側面の曲率半径をＬ６Ｒ２Ｒとしたときの各特性値を示している。各種の焦点距離は、５４６ｎｍの波長の光線を用いて計算した。
【０１０３】
【表１２】
2017167339.tif 000018
【０１０４】
（実施例５）
図９は、実施例５の広角レンズ系の構成を示す断面図である。図９において、広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる。広角レンズ系１００の結像面はＩＭＧで示されている。
【０１０５】
第１レンズＬ１は、負のパワーを有するレンズである。第１レンズＬ１の物体側レンズ面Ｓ１は、正の曲率を有する球面形状である。また、第１レンズＬ１の像側レンズ面Ｓ２は、正の曲率を有する球面形状である。また、物体側レンズ面Ｓ１は、物体側に凸面を向けており、像側レンズ面Ｓ２は、像側に凹面形状の曲面部分を有している。
【０１０６】
第２レンズＬ２は、負のパワーを有する非球面レンズである。第２レンズＬ２の物体側レンズ面Ｓ３は、正の曲率を有する非球面形状である。また、第２レンズＬ２の像側レンズ面Ｓ４は、正の曲率を有する非球面形状である。また、物体側レンズ面Ｓ３は、物体側に凸面を向けており、像側レンズ面Ｓ４は、像側に凹面形状の曲面部分を有している。
【０１０７】
第３レンズＬ３は、正のパワーを有する非球面レンズである。第３レンズＬ３の物体側レンズ面Ｓ５は、正の曲率を有する非球面形状である。また、第３レンズＬ３の像側レンズ面Ｓ６は、負の曲率を有する非球面形状である。また、物体側レンズ面Ｓ５は、物体側に凸面を向けており、像側レンズ面Ｓ６は、像面側に凸面を向けている。
【０１０８】
絞りＳＴは、レンズ系のＦ値（Ｆｎｏ）を決める絞りである。絞りＳＴは、第３レンズＬ３と第４レンズ群Ｇ４との間に配置される。
【０１０９】
第４レンズ群Ｇ４は、負のパワーを備える物体側レンズＬ４１と正のパワーを備える像側レンズＬ４２からなる接合レンズである。
【０１１０】
物体側レンズＬ４１は、負のパワーを有する非球面レンズである。物体側レンズＬ４１の物体側レンズ面Ｓ９は、負の曲率を有する非球面形状である。また、物体側レンズＬ４１の像側レンズ面Ｓ１０は、正の曲率を有する非球面形状である。物体側レンズ面Ｓ９は、物体側に凹面を向けており、像側レンズ面Ｓ１０は、像面側に凹面を向けている。
【０１１１】
像側レンズＬ４２は、正のパワーを有する非球面レンズである。像側レンズＬ４２の物体側レンズ面Ｓ１１は、正の曲率を有する非球面形状である。また、像側レンズＬ４２の像側レンズ面Ｓ１２は、負の曲率を有する非球面形状である。物体側レンズ面Ｓ１１は、物体側に凸面を向けており、像側レンズ面Ｓ１２は、像面側に凸面を向けている。
【０１１２】
第５レンズ群Ｇ５は、負のパワーを備える物体側レンズＬ５１と正のパワーを備える像側レンズＬ５２からなる接合レンズである。
【０１１３】
物体側レンズＬ５１は、負のパワーを有する非球面レンズである。物体側レンズＬ５１の物体側レンズ面Ｓ１３は、正の曲率を有する非球面形状である。また、物体側レンズＬ５１の像側レンズ面Ｓ１４は、正の曲率を有する非球面形状である。物体側レンズ面Ｓ１３は、物体側に凸面を向けており、像側レンズ面Ｓ１４は、像面側に凹面を向けている。
【０１１４】
像側レンズＬ５２は、正のパワーを有する非球面レンズである。像側レンズＬ５２の物体側レンズ面Ｓ１５は、正の曲率を有する非球面形状である。また、像側レンズＬ５２の像側レンズ面Ｓ１６は、正の曲率を有する非球面形状である。物体側レンズ面Ｓ１５は、物体側に凸面を向けており、像側レンズ面Ｓ１６は、像面側に凹面を向けている。
【０１１５】
表１３に、広角レンズ系１００の各レンズ面のレンズデータを示す。表１３では、レンズデータとして、各面の曲率半径、面間隔、屈折率、及びアッベ数を提示している。「＊印」がついた面は、非球面であることを示している。
【０１１６】
【表１３】
2017167339.tif 000019
【０１１７】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【０１１８】
【数５】
2017167339.tif 000020
【０１１９】
表１４に、実施例５の広角レンズ系１００において、非球面とされたレンズ面の非球面形状を規定するための非球面係数を示す。表１４において、例えば「−６．５２２５２８Ｅ−０３」は、「−６．５２２５２８×１０−３」を意味する。
【０１２０】
【表１４】
2017167339.tif 000021
【０１２１】
図１０は、実施例５の広角レンズ系における縦収差図、像面湾曲図、歪曲収差図を示す。図１０Ａは縦収差図を示し、図１０Ｂは像面湾曲図を示し、そして図１０Ｃは歪曲収差図を示す。図１０Ａ〜２Ｃに示すように、実施例５の広角レンズ系１００では、半画角ωが１０１．７°、Ｆナンバが２．４である。図１０Ａの縦収差図では、横軸は光線が光軸Ｚと交わる位置を示し、縦軸は瞳径での高さを示す。図１０Ｂの像面湾曲図では、横軸は光軸Ｚ方向の距離を示し、縦軸は像高（画角）を示す。図１０Ｂにおいて、Ｓａｇはサジタル面における像面湾曲を示し、Ｔａｎはタンジェンシャル面における像面湾曲を示す。図１０Ｃの歪曲収差図では、横軸は像の歪み量（％）を示し、縦軸は像高（画角）を示す。図１０Ａ〜図１０Ｃでは、波長４８６ｎｍ、５８７ｎｍ及び６５６ｎｍの光線によるシミュレーション結果を示している。
【０１２２】
表１５に、実施例５の広角レンズ系１００の特性値を計算した結果を示す。表１５では、広角レンズ系１００における、ＦナンバをＦｎｏ、第１レンズＬ１の物体側レンズ面Ｓ１から広角レンズ系１００の結像面ＩＭＧまでの距離（光学全長）をＴＴＬ、レンズ系全体の焦点距離をｆ、第１レンズＬ１の焦点距離をｆ１、第２レンズＬ２の焦点距離をｆ２、第３レンズＬ３の焦点距離をｆ３、第４レンズ群Ｇ４の物体側レンズＬ４１の焦点距離をｆ４、第４レンズ群Ｇ４の像側レンズＬ４２の焦点距離をｆ５、第５レンズ群Ｇ５の物体側レンズＬ５１の焦点距離をｆ６、第５レンズ群Ｇ５の像側レンズＬ５２の焦点距離をｆ７、絞りＳＴと、第４レンズ群Ｇ４の物体側レンズＬ４１との間隔をＬ４Ｄ、第４レンズ群Ｇ４の物体側レンズＬ４１の像側面の曲率半径をＬ４Ｒ２Ｒ、第５レンズ群Ｇ５の物体側レンズＬ５１の像側面の曲率半径をＬ６Ｒ２Ｒとしたときの各特性値を示している。各種の焦点距離は、５４６ｎｍの波長の光線を用いて計算した。
【０１２３】
【表１５】
2017167339.tif 000022
【０１２４】
（実施例６）
図１１は、実施例６の広角レンズ系の構成を示す断面図である。図１１において、広角レンズ系１００は、物体側から像側に向かって順に、負のパワーを有する第１レンズＬ１、負のパワーを有する第２レンズＬ２、正のパワーを有する第３レンズＬ３、絞りＳＴ、接合レンズからなる第４レンズ群Ｇ４、接合レンズからなる第５レンズ群Ｇ５とからなる。広角レンズ系１００の結像面はＩＭＧで示されている。
【０１２５】
第１レンズＬ１は、負のパワーを有するレンズである。第１レンズＬ１の物体側レンズ面Ｓ１は、正の曲率を有する球面形状である。また、第１レンズＬ１の像側レンズ面Ｓ２は、正の曲率を有する球面形状である。また、物体側レンズ面Ｓ１は、物体側に凸面を向けており、像側レンズ面Ｓ２は、像側に凹面形状の曲面部分を有している。
【０１２６】
第２レンズＬ２は、負のパワーを有する非球面レンズである。第２レンズＬ２の物体側レンズ面Ｓ３は、正の曲率を有する非球面形状である。また、第２レンズＬ２の像側レンズ面Ｓ４は、正の曲率を有する非球面形状である。また、物体側レンズ面Ｓ３は、物体側に凸面を向けており、像側レンズ面Ｓ４は、像側に凹面形状の曲面部分を有している。
【０１２７】
第３レンズＬ３は、正のパワーを有する非球面レンズである。第３レンズＬ３の物体側レンズ面Ｓ５は、正の曲率を有する非球面形状である。また、第２レンズＬ２の像側レンズ面Ｓ６は、負の曲率を有する非球面形状である。また、物体側レンズ面Ｓ５は、物体側に凸面を向けており、像側レンズ面Ｓ６は、像面側に凸面を向けている。
【０１２８】
絞りＳＴは、レンズ系のＦ値（Ｆｎｏ）を決める絞りである。絞りＳＴは、第３レンズＬ３と第４レンズ群Ｇ４との間に配置される。
【０１２９】
第４レンズ群Ｇ４は、負のパワーを備える物体側レンズＬ４１と正のパワーを備える像側レンズＬ４２からなる接合レンズである。
【０１３０】
物体側レンズＬ４１は、負のパワーを有する非球面レンズである。物体側レンズＬ４１の物体側レンズ面Ｓ９は、負の曲率を有する非球面形状である。また、物体側レンズＬ４１の像側レンズ面Ｓ１０は、正の曲率を有する非球面形状である。物体側レンズ面Ｓ９は、物体側に凹面を向けており、像側レンズ面Ｓ１０は、像面側に凹面を向けている。
【０１３１】
像側レンズＬ４２は、正のパワーを有する非球面レンズである。像側レンズＬ４２の物体側レンズ面Ｓ１１は、正の曲率を有する非球面形状である。また、像側レンズＬ４２の像側レンズ面Ｓ１２は、負の曲率を有する非球面形状である。物体側レンズ面Ｓ１１は、物体側に凸面を向けており、像側レンズ面Ｓ１２は、像面側に凸面を向けている。
【０１３２】
第５レンズ群Ｇ５は、負のパワーを備える物体側レンズＬ５１と正のパワーを備える像側レンズＬ５２からなる接合レンズである。
【０１３３】
物体側レンズＬ５１は、負のパワーを有する非球面レンズである。物体側レンズＬ５１の物体側レンズ面Ｓ１３は、正の曲率を有する非球面形状である。また、物体側レンズＬ５１の像側レンズ面Ｓ１４は、正の曲率を有する非球面形状である。物体側レンズ面Ｓ１３は、物体側に凸面を向けており、像側レンズ面Ｓ１４は、像面側に凹面を向けている。
【０１３４】
像側レンズＬ５２は、正のパワーを有する非球面レンズである。像側レンズＬ５２の物体側レンズ面Ｓ１５は、正の曲率を有する非球面形状である。また、像側レンズＬ５２の像側レンズ面Ｓ１６は、負の曲率を有する非球面形状である。物体側レンズ面Ｓ１５は、物体側に凸面を向けており、像側レンズ面Ｓ１６は、像面側に凸面を向けている。
【０１３５】
表１６に、広角レンズ系１００の各レンズ面のレンズデータを示す。表１６では、レンズデータとして、各面の曲率半径、面間隔、屈折率、及びアッベ数を提示している。「＊印」がついた面は、非球面であることを示している。
【０１３６】
【表１６】
2017167339.tif 000023
【０１３７】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【０１３８】
【数６】
2017167339.tif 000024
【０１３９】
表１７に、実施例６の広角レンズ系１００において、非球面とされたレンズ面の非球面形状を規定するための非球面係数を示す。表１７において、例えば「−６．５２２５２８Ｅ−０３」は、「−６．５２２５２８×１０−３」を意味する。
【０１４０】
【表１７】
2017167339.tif 000025
【０１４１】
図１２は、実施例６の広角レンズ系における縦収差図、像面湾曲図、歪曲収差図を示す。図１２Ａは縦収差図を示し、図１２Ｂは像面湾曲図を示し、そして図１２Ｃは歪曲収差図を示す。図１２Ａ〜２Ｃに示すように、実施例６の広角レンズ系１００では、半画角ωが１０１．９°、Ｆナンバが３．１である。図１２Ａの縦収差図では、横軸は光線が光軸Ｚと交わる位置を示し、縦軸は瞳径での高さを示す。図１２Ｂの像面湾曲図では、横軸は光軸Ｚ方向の距離を示し、縦軸は像高（画角）を示す。図１２Ｂにおいて、Ｓａｇはサジタル面における像面湾曲を示し、Ｔａｎはタンジェンシャル面における像面湾曲を示す。図１２Ｃの歪曲収差図では、横軸は像の歪み量（％）を示し、縦軸は像高（画角）を示す。図１２Ａ〜図１２Ｃでは、波長４８６ｎｍ、５８７ｎｍ及び６５６ｎｍの光線によるシミュレーション結果を示している。
【０１４２】
表１８に、実施例６の広角レンズ系１００の特性値を計算した結果を示す。表１８では、広角レンズ系１００における、ＦナンバをＦｎｏ、第１レンズＬ１の物体側レンズ面Ｓ１から広角レンズ系１００の結像面ＩＭＧまでの距離（光学全長）をＴＴＬ、レンズ系全体の焦点距離をｆ、第１レンズＬ１の焦点距離をｆ１、第２レンズＬ２の焦点距離をｆ２、第３レンズＬ３の焦点距離をｆ３、第４レンズ群Ｇ４の物体側レンズＬ４１の焦点距離をｆ４、第４レンズ群Ｇ４の像側レンズＬ４２の焦点距離をｆ５、第５レンズ群Ｇ５の物体側レンズＬ５１の焦点距離をｆ６、第５レンズ群Ｇ５の像側レンズＬ５２の焦点距離をｆ７、絞りＳＴと、第４レンズ群Ｇ４の物体側レンズＬ４１との間隔をＬ４Ｄ、第４レンズ群Ｇ４の物体側レンズＬ４１の像側面の曲率半径をＬ４Ｒ２Ｒ、第５レンズ群Ｇ５の物体側レンズＬ５１の像側面の曲率半径をＬ６Ｒ２Ｒとしたときの各特性値を示している。各種の焦点距離は、５４６ｎｍの波長の光線を用いて計算した。
【０１４３】
【表１８】
2017167339.tif 000026
【０１４４】
（実施の形態２：撮像装置への適用例）
図１３は、実施の形態２に係る撮像装置の断面図である。撮像装置２００は、広角レンズ系１００と、カバーガラス２０１と、撮像素子２０２と、を備える。広角レンズ系１００と、カバーガラス２０１と、撮像素子２０２と、は筐体（不図示）に収容されている。
【０１４５】
撮像素子２０２は、受光した光を電気信号に変換する素子であり、例えば、ＣＣＤイメージセンサやＣＭＯＳイメージセンサが用いられる。撮像素子２０２は、広角レンズ系１００の結像位置に配置されている。なお、水平画角とは、撮像素子２０２の水平方向に対応する画角である。
【０１４６】
カバーガラス２０１は、撮像素子２０２を異物から保護するために、撮像素子２０２上に設けられている。
【０１４７】
なお、本発明は上記実施の形態に限られたものではなく、趣旨を逸脱しない範囲で適宜変更することが可能である。例えば、本発明の広角レンズ系の用途は、車載カメラや監視カメラに限定されるものではなく、携帯電話等の小型電子機器に搭載する等の他の用途にも用いることができる。
【符号の説明】
【０１４８】
Ｌ１  レンズ
Ｌ２  レンズ
Ｌ３  レンズ
Ｇ４、Ｇ５  レンズ群
Ｌ４１、Ｌ５１  物体側レンズ
Ｌ４２、Ｌ５２  像側レンズ
６１  カットフィルタ
６２  カバーガラス
ＩＭＧ  結像面
１００  広角レンズ系
２００  撮像装置
２０１  カバーガラス
２０２  撮像素子
【図１】
2017167339.tif 000027
【図２】
2017167339.tif 000028
【図３】
2017167339.tif 000029
【図４】
2017167339.tif 000030
【図５】
2017167339.tif 000031
【図６】
2017167339.tif 000032
【図７】
2017167339.tif 000033
【図８】
2017167339.tif 000034
【図９】
2017167339.tif 000035
【図１０】
2017167339.tif 000036
【図１１】
2017167339.tif 000037
【図１２】
2017167339.tif 000038
【図１３】
2017167339.tif 000039